(57)【要約】      （修正有）【課題】画像形成層を転写フィルムから印刷材に転写するためのコーティングモジュールでのフィルムコーティングの用途を拡張する。【解決手段】フィルム転写モジュールが印刷枚葉紙のモノクロまたはカラー印刷用に印刷機内に配置され、さらに、印刷機の前および／または後にはニスコーティングモジュール２の形態の１つまたは複数のコーティング装置が配置される。コーティング層を展着することによって、フィルム画像と印刷画像とからなる図柄の一部の面または全面がコーティングされる。この追加の層は保護、乾燥、および光学的効果の生成の役割を果たす。【選択図】図１
2007176172.tif 000002
【特許請求の範囲】
【請求項１】
転写フィルム（５）の画像形成層の転写を含む、印刷枚葉紙上に印刷画像を生成する方法であって、
フィルム転写モジュール内で少なくとも展着機構（１）によって接着剤による印刷枚葉紙の画像的コーティングが行われ、次にコーティングモジュール（２）によって転写フィルム（５）の画像形成層の少なくとも一部が該印刷枚葉紙に転写されることによってフィルム画像の展着が行われる方法において、
該フィルム画像の展着後に、該フィルム画像の画像領域を含め、印刷インキによってモノクロまたはカラー印刷画像で該印刷枚葉紙の重ね刷りが行われ、該印刷画像の展着の後に、透明または半透明のコーティングによってフィルム画像と印刷画像との複合画像の単層または複層のコーティングが行われることを特徴とする方法。
【請求項２】
前記フィルム画像の前記展着の前に、フィルム転写モジュールの前に配置された１つまたは複数のニスコーティングモジュールで印刷枚葉紙の単層または複層のプレコートが行われることを特徴とする請求項１に記載の方法。
【請求項３】
前記印刷枚葉紙の前記単層または複層のプレコートのために、その接着力が接着剤に対して同調される、または該接着剤によって強化される媒体が使用されることを特徴とする請求項２に記載の方法。
【請求項４】
前記モノクロまたはカラー印刷画像を印刷枚葉紙に印刷するために、従来のオフセット印刷インキまたは酸化乾燥フィルムインキまたは紫外線印刷インキが使用されることを特徴とする請求項１から３のいずれか一項に記載の方法。
【請求項５】
単層または複層のコーティング層による前記印刷枚葉紙のコーティングのために、分散ニスまたは接着力を強化するプライマーと紫外線ニスとの組合せ、または紫外線ニスが使用されることを特徴とする請求項１から４のいずれか一項に記載の方法。
【請求項６】
フィルム画像を担持する印刷枚葉紙を印刷するために、モノクロまたはカラー印刷画像に従来のオフセット印刷インキまたはフィルム印刷インキが展着され、その後、該印刷枚葉紙を単層または複層のコーティング層でコーティングするため、全面または一部の面に分散ニスが展着されることを特徴とする請求項１から５のいずれか一項に記載の方法。
【請求項７】
フィルム画像を担持する印刷枚葉紙を印刷するために、モノクロまたはカラー印刷画像に従来のオフセット印刷インキまたはフィルム印刷インキが展着され、その後、該印刷枚葉紙を単層または複層のコーティング層でコーティングするため、先ず全面または一部の面に接着力を強化するプライマーが、次に全面または一部の面に紫外線ニスが展着されることを特徴とする請求項１から５のいずれか一項に記載の方法。
【請求項８】
フィルム画像を担持する印刷枚葉紙を印刷するために、モノクロまたはカラー印刷画像に紫外線印刷インキが展着され、その後、該印刷枚葉紙を単層または複層のコーティング層でコーティングするため、全面または一部の面に紫外線ニスが展着されることを特徴とする請求項１から５のいずれか一項に記載の方法。
【請求項９】
前記フィルム画像の転写前に前記印刷枚葉紙を画像コーティングするため、紫外線接着剤が使用されることを特徴とする請求項８に記載の方法。
【請求項１０】
前記印刷枚葉紙を接着剤で画像コーティングした後、および／または前記フィルム画像の転写後、および／または印刷用インキの展着後、および／または前記単層または複層のコーティング層の展着後に、乾燥が行われることを特徴とする請求項１から９のいずれか一項に記載の方法。
【請求項１１】
前記印刷枚葉紙を接着剤で画像コーティングする前に、または前記フィルム画像の展着後に、該印刷枚葉紙に触覚または視覚的な特徴を作成するために該印刷枚葉紙の変形加工が行われることを特徴とする請求項１から１０のいずれか一項に記載の方法。
【請求項１２】
フィルム画像として光学特性または障壁特性を有する全面コーティング層が展着されることを特徴とする請求項１から１１のいずれか一項に記載の方法。
【請求項１３】
印刷枚葉紙を接着剤で画像コーティングするための少なくとも展着機構（１）と、該画像形成層を圧胴（４）とプレスローラ（３）との間の転写スリット（６）内で担持フィルムから該印刷枚葉紙へと転写するためのコーティングモジュール（２）とを有していて、該印刷枚葉紙と接触するコーティング側を有する該担持フィルムを該印刷枚葉紙と共に該転写スリット（６）を通って案内可能であり、その際に、該画像形成層を画像形成するように該印刷枚葉紙に転写可能である、画像形成層を転写フィルム（５）から該印刷枚葉紙へと転写するためのフィルム転写モジュールを有する、請求項１に記載の方法を実施する装置であって、
該フィルム転送モジュールはアセンブリとしてコーティングモジュール（２）、および未使用のフィルム連続シートを容器から給送し、また使用済みフィルム連続シートを除去する装置、ならびに該フィルム連続シートを該転写スリット（６）へと、また該転写スリット（６）から案内する手段を備え、該コーティングモジュール（２）は展着機構（１）に取り付けられ、枚葉紙処理機械に具備された最初もしくは最後の印刷機構（Ｄ）の前および／または後ろには１つまたは複数のニスコーティングモジュール（Ｌ）が配置されることを特徴とする装置。
【請求項１４】
枚葉紙処理機械はカラー印刷を作成するための複数の印刷機構（Ｄ）を有する印刷機であり、前記フィルム転写モジュールは該印刷機構（Ｄ）の前、間、または後ろに配置されることを特徴とする請求項１３に記載の装置。
【請求項１５】
枚葉紙処理機械内で全面をコーティングするためのコーティングモジュール（２）が、カラー印刷を作成するための複数の印刷機構の後ろに配置され、該コーティングモジュール（２）を用いてラミネート加工が行われることを特徴とする請求項１３または１４に記載の装置。
【請求項１６】
前記フィルム転写モジュールは統合ワークユニットとして実施され、展着機構（１）がそれぞれ前記コーティングモジュール（２）に取り付けられて各ワークユニット内に配置されることを特徴とする請求項１３から１５のいずれか一項に記載の装置。
【請求項１７】
前記フィルム転写モジュールの前および／または後ろ、および／または前記印刷機構（Ｄ）の後ろ、および／または前記ニスコーティングモジュール（Ｌ）の後ろに乾燥機が配置されることを特徴とする請求項１３から１６に記載の装置。
【請求項１８】
前記フィルム転写モジュールおよび／または前記印刷機構（Ｄ）の前に型押しまたは構造を印刷材内に作成するためのニスコーティングモジュール（Ｌ）または印刷機構（Ｄ）が配置されることを特徴とする請求項１３から１７のいずれか一項に記載の装置。
【請求項１９】
前記印刷機に枚葉紙を給送するために、フィルム印刷材および／またはリサイクル印刷材および／または紙および／または厚紙を処理するために備えられたロール−給紙装置が備えられることを特徴とする請求項１３から１７のいずれか一項に記載の装置。
【発明の詳細な説明】
【技術分野】
【０００１】
本発明は、担持フィルムから印刷枚葉紙への画像形成層の転写を含む、コーティング包装および広告手段を製造するための特許請求の範囲第１項および第１３項のプリアンブルに記載の方法および装置に関する。
【背景技術】
【０００２】
フィルム転写方法によって印刷枚葉紙上に金属層を製造することは公知である。特許文献１には印刷材料およびこの材料を使用した印刷装置が記載されている。そこには給紙装置および排紙装置を有するシート処理機械が示されており、双方の集合体の間に印刷機構とコーティングモジュールとが配置されている。印刷機構の少なくとも１つでは平板印刷法を用いて接着剤パターンが展着される。この接着剤パターンは低温印刷法で塗布され、特定の画像形成図柄（Sujet）を有している。印刷機構の後にある圧胴およびプレスローラを有するコーティングモジュール内にはフィルムガイドが備えられている。これは、フィルムロールからフィルム連続シートもしくは転写フィルムがコーティングモジュールの転写スリットを通って圧胴とプレスローラとの間に案内されるように設計されている。フィルム連続シートは出口側でコーティングモジュールを出た後に再び巻き取られる。転写フィルムは例えばアルミニウムの金属層のような画像形成層を塗布することができる担持層を備えている。金属層と担持フィルムとの間には、金属層を担持層から剥離できるようにする分離層が備えられている。
【０００３】
印刷機構を通って印刷枚葉紙を移送する際に、各印刷枚葉紙には接着剤パターンが塗布される。その後、印刷枚葉紙はコーティングモジュールを通され、その際に圧胴に載せられた印刷枚葉紙はプレスローラによってフィルム材と結合される。その際に、下にある金属層は印刷枚葉紙の接着剤が塗布された領域と密着状態にされる。印刷枚葉紙がさらに移送された後は、金属層は接着剤が塗布されたパターンの領域だけに付着している。したがって接着剤パターンの領域の金属層は担持フィルムから取り除かれる。このようにして使用済みになった転写フィルムは再び巻き取られる。印刷枚葉紙はコーティングされた状態で排出される。
【０００４】
このような種類のコーティングモジュールが例えば印刷機の印刷機構で使用されることは公知である。公知の装置の欠点は、フレキシブルに使用できない点にある。さらに、異なる層の表面特性が異なっているので表面形状が不均一になることが多い。
【特許文献１】欧州特許第０５６９５２０号明細書
【発明の開示】
【発明が解決しようとする課題】
【０００５】
したがって本発明の目的は、例えば金属化層のような画像形成層を印刷枚葉紙に転写することを確実で経済的かつ正確に行うことができるようにする方法および装置を提供することにあり、その際に、この装置を選択幅の拡張に向けて可変的な表面特性を生成するための用途で操作できるようにする必要がある。
【課題を解決するための手段】
【０００６】
この目的は特許請求の範囲第１項の特徴に基づく方法、および特許請求の範囲第１３項の特徴に基づく装置によって達成される。
【０００７】
本発明によって、フィルム画像部分と印刷画像部分の統合された印刷画像描出が組み合わされる。効果を高めるために、印刷枚葉紙には透明または半透明、または透明カラーのニスからなるニスコーティング層が塗布される。
【０００８】
それによって印刷画像が保護され、特にその光沢効果が高められる。有利なことに極めて迅速に乾燥するので、再処理に遅れが生じない。
【０００９】
本発明に基づきフィルム転写モジュールが組み込まれることによって、印刷機の用途はフレキシブルになる。フィルム転写モジュールは印刷機構の一部として、別個のワークステーションとして、統合されたワークステーションとして、または転換可能なワークステーションとして実施可能である。
【００１０】
有利なことにフィルム転写モジュールは使用目的に応じて印刷機内の様々な位置に配置されることができる。
【００１１】
したがって有利なことに、シート処理機械内に複数のコーティングモジュールを直列に配置することもできる。それによって様々な画像形成コーティングもしくは金属化層を図柄内に連続的に貼付することができる。その際に、全ての画像パターン要素を有する単一の接着剤パターンを介して画像形成層を連続的に転写することが可能である。
【００１２】
さらに第１のコーティングモジュール内の第１の接着剤パターンに第１の画像形成コーティングもしくは金属化層を貼付し、次に重複して第１の接着剤パターンを含む別の接着剤パターンを展着し、別の画像形成コーティングもしくは金属化層を貼付することも可能である。
【００１３】
さらに、枚葉印刷機内のフィルム転写モジュールをシート反転装置の後に配置して、先行する表面印刷の後にシートの裏面にフィルム転写による画像コーティングを行うこともできる。
【００１４】
コーティング特性を改良するため、画像形成層にいわゆる紫外線下塗りインキを塗布することができ、接着剤用の印刷機構を用いて例えばオフセット印刷板を介して塗布される。
【００１５】
したがって有利なことには、オフセット印刷機をインラインで配置されたフィルムアプリケーションと、場合によってはインラインのニスコーティングとも組み合わせることができる。フレキソ印刷機にインラインで配置されたフィルムアプリケーションを備えることもできる。オフセット印刷とフレキソ印刷機構（プレスローラ−スクリーンローラ、ゴムローラ、版胴、ゴム胴、圧胴）の組合せも可能である。
【００１６】
白鉛または同種のコーティング媒体のプライマーによる前刷りもしくは事前コーティングによって、接着剤の展着およびフィルムアプリケーションの前の印刷材の前処理が可能である。場合によっては、印刷材、特にフィルムの事前コロナ処理を行うことも可能である。その際の有利な組合せは下記のとおりである。
−  １＋ｎ番目の機構内での接着剤展着の前に印刷機構またはニスコーティングモジュールを配置、すなわち常温フィルム型押し工程（オフセットまたはフレキソ印刷板を介した接着剤の展着、フィルムアプリケーション、場合によってはプレス機構）の前に展着機構が配置される。
−  例えば版胴の被覆材としての型押し型による前置されたニスコーティングモジュール内での印刷材の事前型押し加工もしくはパターン形成
−  （オフセット印刷工程としての）印刷機構、ニスコーティング装置を有する印刷機構（→装置（給紙装置）内でのコロナ前処理についてはＥ１０２４５１を参照）、または接着剤展着前のニスコーティングモジュール
−  プライマーの展着または表面ニスコーティングのための、表面印刷
−  従来のＩＲ／ＴＬ（赤外線／タリウム）または紫外線、エキシマ中間乾燥機
−  その後のフィルムアプリケーション
−  その後の印刷、ニスコーティング、型押し加工、スタンピング、穿孔、縦裁断、インクジェットマーキング、シート検査、排紙
−  場合によっては機械構成によりフィルムアプリケーションモジュールを可変的にシート印刷機中で変位可能である。
−  多孔性、吸収性材料の処理
−  リサイクル印刷材の処理
−  印刷材、特にフィルムの部分的準備を含めた準備
−  インラインのコロナ前処理
−  利用範囲の拡張。
【００１７】
本発明の基本構想は、フィルムアプリケーションモジュール用の複数の準備インターフェースを有する、印刷材のインライン仕上げ加工または事前コーティングのためのニスコーティングモジュールを、場合によって備えている、または備えていないオフセット印刷機である。したがってこの構想は、複数の電気的もしくは制御技術的、および機械的インターフェースに関するものである。
【００１８】
その際にフィルムアプリケーションモジュールはユニットとして（製造施設内の、または印刷機の）リフトを介して、または走行レールを介して使用位置に移動可能である。
【００１９】
そこで下記の構造の機械が可能である。
−  第１の印刷機構／展着機構内で接着剤が展着され、第２の印刷機構／コーティング機構内でフィルムアプリケーションが実行され、その後、印刷などが行われる。
−  この段階で第１の印刷またはニスコーティングモジュール内で吸収性の、または粗い、または有孔性の印刷材にプライマーが事前コーティングされるので、フィルムアプリケーションモジュールは印刷機構をさらに排紙装置の方へとシフトし、またはその代わりにフィルムの方向転換が印刷機構を元に戻す。これはインキング機構または印刷機構内のニスコーティング機構を介しても、またはスクリーンローラ／チャンバドクターブレードシステムによっても行うことができ、または白鉛展着が行われ、ほとんどの場合はコーティング後に中間乾燥機が使用される。
−  フィルムアプリケーションモジュールは最後の、すなわち排紙装置の近傍の印刷機構に設置されるので、事前印刷および場合によってはニスコーティングを行うことができ、そこで機械の終端ではじめてフィルムアプリケーションが行われる。
−  反転動作の枚葉印刷機が製造される場合は、フィルムアプリケーションモジュールは反転装置の後にシフトされる。すなわち片面が印刷され、反転され、その後、印刷の前または後でフィルムアプリケーションが行われる。先面印刷動作では、後ろでカラー印刷を行うために給紙装置の前にフィルムアプリケーションモジュールが設置されることができる。これと関連して、固定据付けされた、またはシフト可能に配置された２つ（もしくはそれ以上の）フィルムアプリケーションモジュールが機械上に設置されることもできよう。
【発明を実施するための最良の形態】
【００２０】
次に図面を参照して本発明を詳細に説明する。
【００２１】
図１は、２つの印刷機構を含み、下記の目的のために使用される、枚葉輪転印刷機の一部を示している。
−  先ず印刷枚葉紙に平板な、または画像形成用の接着剤パターンが塗布される（展着機構１としての印刷機構）。
−  連続印刷機構で印刷枚葉紙が転写フィルム５と共にプレスされて転写スリット６を通される（コーティング機構２）。
【００２２】
展着機構１はインキング機構１１、版胴１２、および印刷用ブランケット胴１３を有する公知のオフセット印刷機構でよい。印刷用ブランケット胴１３は圧胴４と連動する。
【００２３】
コーティング機構２もオフセット印刷機構から形成されることができる。コーティング機構２内の転写スリット６はプレスローラ３と圧胴４とから構成される。プレスローラ３は印刷用ブランケット胴と対応することができる。プレスローラ３はニスコーティングモジュールの版胴とも対応することができる。フィルム転写用に使用されるコーティング機構２内に転写フィルム用のレールガイド１４が示されている。その際に転写フィルム５はコーティング機構２の保護装置１５を通って引き込まれ、再び引き出される。
【００２４】
代替として、展着機構１との関連で示されているように、展着機構１内に組み込まれたフィルム転写装置を備えることによって、統合フィルムアプリケーションモジュールが形成される。その場合、圧胴４にはブランケット胴または版胴１３と圧胴４との間の圧縮スリットの後に配置されたプレスローラ３’が取り付けられている。このように、転写フィルムのフィルム連続シート５’は印刷材のコーティング後に、展着機構１を介して前記のように形成された転写スリット６’へと送られ、またすぐ再び引き出される。このように常温フィルム型押しは図１に示すように、単一の統合フィルムアプリケーションモジュールＦＡ内で行われる。
【００２５】
図１の展着機構１内に概略的に示すように、統合フィルムアプリケーションモジュールＦＡ内ではコンパクトな構造の展着機構をコーティングモジュール内に配置することもできる。そのために接着剤展着装置１’が圧胴４に取り付けられ、この場合はゴム胴１３と圧胴４との間に備えられている転写スリットの前に配置されている。この場合、転写フィルムはゴム胴１３の周囲を、またはゴム胴のほぼ接線方向に図示した圧縮スリットを通される。
【００２６】
そのために、このような接着剤展着装置１’は接着剤用の印刷版を担持するためのコンパクトな版胴と、チャンバドクターブレードと接着剤を搬送するためのスクリーンローラからなる展着機構とからなっている。その際に、同じ圧胴４ではこの場合も統合されて、先ず印刷材への接着剤展着が行われ、その直後にフィルム展着が行われる。
【００２７】
フィルムロール８はコーティング機構２のシート給送側に取り付けられている。フィルムロール８は転写フィルムをコーティング機構２に継続的に制御されて送るための回転駆動機構７を備えている。フィルム送りには転写フィルム５をプレスローラ３に対してほぼ一定の応力で送るための方向転換ローラもしくはテンションローラを備えている。印刷機構の排出側には使用済みのフィルム材料用のフィルム回収ロール９が備えられている。フィルム回収ロール９に回転駆動機構７を備えることは常に有利である。転写フィルム５が回転駆動機構７によって排紙側に搬送され、給紙側ではブレーキによってピンと張った状態に保たれるようにすることさえできる。
【００２８】
（ブランケット胴または版胴または別個のプレスローラとしての）プレスローラ３はその表面に例えば圧縮可能な中間層をも備えた圧縮可能要素、もしくは緩衝要素を担持している。そのためにプレスローラ３は、締付け装置内の胴溝内に保持される例えばプラスチックライニングとして、ゴムブランケットもしくは印刷用ブランケットに匹敵するプレス張り地１０を備えることができる。
【００２９】
コーティング方法の経済性を保証するためにフィルムロール８から転写スリット６への、およびフィルム回収ロール９への転写フィルム５のフィルム送りを段階的に制御可能にすることができ、画像形成層または剥離層の転写が行われてはならない場合に転写フィルム５は停止される。
【００３０】
付属装置は好ましくは転写フィルム５用の対応する給送制御装置を含んでおり、これは胴溝が通っている限り、少なくともプレスローラ３および圧胴４の領域にあるフィルム連続シート部分が停止する役割を果たす。
【００３１】
転写フィルム５がより狭い幅の単数または複数の部分フィルム連続シートに区分されると、前記の種類のフィルムがさらに良好に活用される。それによって、各々の部分フィルム連続シートのフィルム送りのタイミング装置（単数または複数）を利用して適切に制御すれば、シート内のコーティング領域の長さがゾーンごとに異なっている場合でも転写フィルム５がより良好に活用される。
【００３２】
さらに展着機構１とコーティング機構２とからなる上記のように形成されたフィルムアプリケーションモジュール内に、接着剤の展着部分またはフィルムコーティング全体を乾燥できる乾燥機１６を備えることができる。これは例えば紫外線乾燥機が考えられる。
【００３３】
さらにフィルムアプリケーションモジュールはシート表面を走査する監視装置１７を含むことができる。監視装置１７によってコーティングの画像内容を評価し、またフィルムコーティングの不具合を確認することが可能になる。このような監視装置はフィルムアプリケーションモジュールが組み込まれる印刷機と組み合わせて備えることもできる。その場合は、監視装置を例えば印刷機の排紙装置または最後の印刷機構内に配置することができる。
【００３４】
さらに、コーティングされた印刷枚葉紙がコーティングの接着力を高め、もしくは印刷枚葉紙の光沢を高めるために、上昇された圧力でローラにかけられる必要がある場合は、コーティングモジュール２の後に接続される、いわゆるカレンダー機構を備えることができる。
【００３５】
さらにコーティングされた印刷枚葉紙が印刷用にモノクロまたはカラー画像でインライン再処理される必要がある場合は、コーティングモジュール２の後に接続される、オフセット印刷機の別の印刷機構を備えることができる。
【００３６】
さらに、コーティングされた印刷枚葉紙がコーティングの接着力を改良し、コーティングを保護し、乾燥を促進し、かつ／または印刷枚葉紙の光沢を高めるために適宜のライニングを備える必要がある場合は、コーティングモジュール２の後に接続される、いわゆるニスコーティングモジュールを備えることができる。
【００３７】
本発明によってワーキングユニットもしくは印刷機構内での画像形成層もしくは金属化層を用いた前記の画像コーティングを印刷機内の様々な位置で行う様々な可能性が得られる。
【００３８】
さらにシート処理機械内で使用するための統合フィルム転写モジュールの実施形態も可能である。その場合はコーティングモジュール２を展着機構１のアセンブリ内に組み込んで実施することができる。
【００３９】
給紙圧胴４は印刷枚葉紙を給送するため付属の圧縮面および対応する単一のまたは複合された周囲を有する１つまたは複数のグリップフィールドを備えている。圧胴４上には展着機構１が配置されている。圧胴４にはさらに、圧胴４と共に転写スリット６を形成するプレスローラ３を備えたコーティングモジュール２が取り付けられている。転写スリット６は展着機構１のコーティングスリットの後ろの圧胴４の位置に給紙方向に配置されている。
【００４０】
このようにして、後続の動作工程用に使用される２つのワークステーションを備えた統合フィルム転写モジュールが形成される。印刷材は単一の圧胴４上に支持されつつ、このようなフィルム転写モジュール内で極めて有利に、単一のグリッパ端内の必要な全てのスリット箇所に案内される。
【００４１】
コーティングモジュール２もしくは統合フィルムアプリケーションモジュールＦＡは、印刷前に印刷枚葉紙に例えば金属化層のような画像形成層を備えるのに基本的に適している。コーティングモジュール２もしくは統合フィルム転写モジュールを収容する枚葉紙処理機械、例えばオフセット印刷機内では、機械内の別のどの位置にもコーティングモジュール２もしくは統合フィルム転写モジュールを配置することができる。それに伴い、例えば金属化層のような所望の画像形成層を印刷インキ層の塗布の前でも後でも、途中でも生ずることができる必要がある。
【００４２】
上記の装置を利用して高価な包装または広告手段を効果的に仕上げ加工できるようにする必要がある。
【００４３】
基本的に、コーティングモジュール２もしくは統合フィルム転写モジュールの配列によって、金属フィルムまたは効果フィルムからなるフィルムパターンを印刷枚葉紙に定着させることができる。
【００４４】
印刷材の品質に応じて、印刷材の表面を仕上げ加工の品質要件に適合するように、印刷材をプレコートすることが有効、または必要なことがある。そのために、対応する印刷機の第１の印刷機構もしくは展着機構１の前に、およびコーティングモジュール２もしくは統合フィルム転写モジュールの前に、印刷枚葉紙に下地層を塗布することができる１つまたは複数のニスコーティングモジュールが接続される。
【００４５】
その後、フィルムパターンを定着させる際に、オフセット印刷インキと類似する従来の接着剤を使用することができる。紫外線接着剤を使用することもできる。いずれの場合も接着剤層の事前乾燥を行うことができる。
【００４６】
転写フィルム５のフィルムパターンを塗布する際に、画像形成層もしくは金属化層のフィルム担体からの剥離を容易にし、ひいてはフィルムパターンの転写を改善するために、転写フィルムを適宜の装置で加熱することができる。
【００４７】
フィルムパターンの塗布後に、フィルム画像にカラー画像を重ね刷りすることができる。そのために、対応する印刷機構内で従来のオフセット印刷インキまたはいわゆるフィルムインキまたはいわゆる紫外線印刷インキを使用することができる。その場合、従来の印刷インキの乾燥作用とフィルム画像への固着は、このインキの大部分がいわゆる削ぎ落としによって乾燥するので比較的よくない。フィルムインキは一般に固着力が強い酸化硬化印刷インキであるが、比較的長い乾燥時間も必要である。紫外線乾燥機を使用した迅速な乾燥を達成するため、紫外線印刷インキが使用される。
【００４８】
フィルム画像上にカラー画像を作成するために使用される印刷インキの種類に応じて、印刷枚葉紙をさらに処理するために乾燥工程を組み入れる必要があることがある。その場合は、印刷枚葉紙が半ば接着したフィルム画像によってある程度の不均一性を有していることが有効である。したがって乾燥エネルギーを良好に配量する必要がある。
【００４９】
フィルム画像およびインキ画像を担持する未乾燥の印刷枚葉紙は、ニスコーティング層を塗布することによって損傷または汚れから効果的に保護することができる。この場合は分散ニス、分散ニスと組み合わせたいわゆるプライマー、またはいわゆる紫外線ニスを使用することができる。このような迅速に乾燥するニスコーティング層によって、一方ではフィルム画像と印刷画像とのコーティングを備えた印刷枚葉紙を良好に保護することができ、ニスコーティング層の下の接着剤層および印刷インキ層は良好に硬化することができる。他方では、それによってこのような印刷枚葉紙の表面が補足的に仕上げ加工される。表面は平滑な外見の他に、所望の光沢効果も得られる。その際に補足的にフィルム画像の表面が酸化による影響から保護される。
【００５０】
使用されるニスは透明または半透明であり、無色でもカラーでもよい。例えば従来の印刷インキからなる適宜のインキ−ニスの組合せによって、またはいわゆるプライマーと紫外線ニスとを使用して、印刷枚葉紙の表面は光沢度が異なる領域を備えることもできる。
【００５１】
図示した工程段階から下記の製造手順が示される。
ａ．（場合によっては接着剤の特性と適応させた補償または保護媒体の）プレコート
ｂ．（従来の接着剤または紫外線接着剤による）接着剤の展着
ｃ．場合によっては接着剤の事前乾燥
ｄ．（場合によっては転写フィルムを加熱しての）フィルム展着
ｅ．場合によっては接着剤の事後乾燥
ｆ．（従来のオフセット印刷インキまたはフィルムインキまたは紫外線印刷インキによる）フィルム展着領域を含むインキ画像のモノクロまたはカラー印刷
ｇ．場合によっては、印刷されたインキ画像の中間乾燥
ｈ．（分散ニスまたは分散ニスまたは紫外線ニスと組み合わせたプライマーによる）透明ニスからなる光沢層もしくは保護層の展着
ｉ．場合によってはコーティングが完了した印刷枚葉紙の仕上げ乾燥
【００５２】
前記の製造工程の考えられる製品の変更形態として、下記の幾つかの変更形態をより詳細に示す。
【００５３】
Ｉ．印刷材の準備は従来の給紙装置またはいわゆるロール−給紙装置内で行うことができる。その際に、有利にはリサイクル材料またはフィルム材料をも使用できる。フィルムは白鉛処理でプレコートされることができる。
【００５４】
ＩＩ．表面を平滑で耐性があるものにするため、簡素な、平滑でない印刷材にニスコーティングモジュールで補償物質が展着される。場合によっては印刷材にさらに型押しまたは構造形成を施すこともできる。引き続いて展着されるフィルム画像用の接着剤と結びついて金属化層用の粘着力が特に強い領域が生ずる。フィルム画像の展着後、印刷枚葉紙にはフィルムインキからなるカラー印刷画像が印刷される。これは特にフィルム画像の面積比が高い印刷枚葉紙の場合に該当する。インキ画像は酸化乾燥し、保護されない。これは良好な光沢を帯びているが、触感は比較的ざらざらしている。
【００５５】
ＩＩＩ．平滑な印刷材に、中間乾燥可能なフィルム画像用の紫外線接着剤の印刷図柄が展着される。接着剤図柄上にフィルム層または金属化層が転写され、場合によってはあらためて中間乾燥される。フィルム画像の展着後に、印刷枚葉紙には紫外線印刷インキからなるモノクロまたはカラー印刷画像が印刷される。これは特にフィルム画像の面積比が低い印刷枚葉紙から高い印刷枚葉紙までの場合に該当する。インキ画像は紫外線乾燥機によって仕上げ乾燥されるが、表面は保護されない。印刷枚葉紙は良好な光沢を帯びており、触感は極めて滑らかである。
【００５６】
ＩＶ．平滑な印刷材にフィルム画像用の従来の接着剤の印刷図柄が展着され、その上にフィルム層または金属化層が転写される。その後、印刷枚葉紙には従来のオフセット印刷インキからなるモノクロまたはカラー印刷画像が印刷される（フィルム面積比が低い印刷枚葉紙から高い印刷枚葉紙まで）。インキ画像は場合によっては乾燥機で乾燥される。印刷枚葉紙には接着力を高めるための不可視プライマー層が展着され、その後、紫外線ニスコーティング層によって保護される。その後、仕上げ乾燥が行われる。印刷枚葉紙は極めて良好な光沢を帯び、触感も極めて滑らかである。フィルム領域の光沢効果は簡単に減衰され、したがって光学的に調和した補償効果が得られる。印刷枚葉紙は即座に乾燥し、後続の処理が可能である。
【００５７】
Ｖ．平滑な印刷材にフィルム画像用の紫外線接着剤の印刷図柄が展着され、その上にフィルム層または金属化層が転写される。その後、印刷枚葉紙には紫外線印刷インキからなるモノクロまたはカラー印刷画像が印刷される（フィルム面積比が低い印刷枚葉紙から高い印刷枚葉紙まで）。インキ画像は場合によっては紫外線乾燥機で乾燥され、紫外線ニスコーティング層で保護される。その後、仕上げ乾燥が行われる。印刷枚葉紙は極めて良好な光沢を帯び、触感は極めて滑らかである。フィルム領域、特にイリデッセンス効果または屈折効果を有する効果フィルムの光沢効果が高められ、その効果が明確に強調される。印刷枚葉紙は即座に乾燥し、後続の処理が可能である。
【００５８】
図２から図５には包装手段または広告手段の前述の製造方法を実施するための印刷機にコーティングモジュール２と展着機構１とを配列する様々な組合せの可能性が概略的に示されている。
【００５９】
図示されている印刷機の前には、印刷枚葉紙の補償層、下地層、またはその他の類似した事前コーティングを展着可能にするため、給紙装置ＡＮを備えたフィルム転写モジュールもしくは印刷機構Ｄの後に図示したすべての構成で、１つまたは複数のニスコーティングモジュールＬを接続することができる。
【００６０】
図示した全ての構成で、排紙装置ＡＵの前の印刷機構Ｄの後に１つまたは複数のニスコーティングモジュールＬを接続することができる。それによって単層または多層の透明で、無色の光沢がある被覆層またはカラー被覆層を塗布することができる。このようなニスコーティングモジュールＬの間に中間乾燥機を配置することができる。
【００６１】
図２は基本的に従来の構成を示している。枚葉印刷機の給紙装置ＡＮの後に、先ず展着機構１が、次にコーティングモジュール２が配置されている。コーティングモジュール２の後には再び枚葉印刷機の印刷機構Ｄが配置されている。排紙装置ＡＵで構成が完結する。
【００６２】
このように、この構成によって空白の印刷枚葉紙に金属化フィルムの画像コーティングを行うことができる。その後、このコーティングの上にカラー印刷画像を展着することができる。
【００６３】
さらに、コーティングモジュール２によって金属化フィルムの全面コーティングを行うことができ、これは後に印刷機構Ｄで重ね刷りされることができる。
【００６４】
コーティングモジュール２は排紙装置ＡＵの前の印刷機構Ｄの後にも配置できることが示されており、コーティングモジュール２の前に配置された印刷機構Ｄは展着機構１として機能することができる。
【００６５】
このような配列によって、例えば重ね刷りをしなくとも、事後的なラミネート加工または金属化された画像コーティングの被覆が可能である。そのためにはインキ印刷が事前に乾燥している必要があろう。
【００６６】
図３は図２に匹敵する構成を示している。この場合は給紙装置ＡＮの後に２つのフィルム転写モジュールが統合コーティングモジュールＩＭとして配置されている。この場合は、ワーキングユニット内にコーティングモジュール２のみならず付属の展着機構１も配置されている（図２も参照されたい）。それによって、前述の方法例に基づいて２つの異なる、並置されているが場合によっては互いに重複したコーティングの画像展着を行うことができる。統合コーティングモジュールＩＭの配列は特に、少なくとも２つのフィルム転写モジュールを直接に連続して配置しなければならない場合に有効である。
【００６７】
図４には印刷枚葉紙の再処理の特性が向上する印刷機用のフレキシブルな変更形態が示されている。この場合、フィルム転写モジュールはアタッチメントモジュールＡＭとして実施されている。このようなアタッチメントモジュールＡＭは好ましくは可搬式ユニットとして実施され、印刷機の印刷機構Ｄの標準化された基本構造ＵＢに取り付けることができる。そのために多様に示すことができる対応するカップリング機構が必要である。基本構造ＵＢは通常は枚葉給送ドラムと圧胴４とが互いに連結して支承される台架を含んでいる。場合によっては、基本構造上で、オフセット印刷機構の印刷用ブランケット胴１３、またはニスコーティングモジュールの版胴２０をそれぞれ圧胴４に取り付けることもできる。印刷用ブランケット胴１３または版胴２０はコーティングモジュール２と組み合わせてプレスローラ３として使用することができ、その際には適宜の張り地１０が取り付けられる。双方の胴の形状には対応する締付け装置が備えられる。
【００６８】
図５には改良された変更形態が示されている。図示されている印刷機は給紙装置ＡＮに接続された２つの印刷機構Ｄの後にいわゆる反転装置Ｗを備えている。反転装置Ｗは枚葉印刷機の枚葉紙の流れで、片面が印刷もしくはコーティングされた印刷枚葉紙を裏返して、それまでの下面が上面になるようにし、その後印刷もしくはコーティングされることができるようにする機能を果たす。
【００６９】
図示した構成では、反転装置Ｗに展着機構１とコーティングモジュール２とが隣接している。その後に排紙装置ＡＵまで場合によっては複数の別の印刷機構Ｄが備えられる。
【００７０】
したがって、このような印刷機によって各印刷枚葉紙は先ず裏側がモノクロまたは２色で印刷され、次に反転され、その後金属化層で画像を形成するようにコーティングされ、続いて再びカラー印刷される。その利用例には画像側に金属フィルムからなる装飾インレーを嵌め込んだグリーティングカードがある。
【００７１】
以下の概観では、上記の構成の可能な用途を再度概略的に説明する。
【００７２】
すなわち有利には、オフセット印刷機をインラインで配置されたフィルムアプリケーションと、また場合によってはインラインのニスコーティングとも組み合わせることができる。さらに、フレキソ印刷機にインラインで配置されたフィルムアプリケーションを備えることができる。（プレスローラ−スクリーンローラ、ゴムローラ、版胴、ゴム胴、圧胴を使用した）オフセットおよびフレキソ印刷機構の組合せも可能である。
【００７３】
白鉛または同類のコーティング媒体のプライマーによる前刷りもしくはプレコートによって、接着剤の展着およびフィルムアプリケーションの前に印刷材を前処理することができる。場合によっては、印刷材、特にフィルムのコロナ前処理を行うことができる。
【００７４】
本発明の基本構想は、フィルムアプリケーションモジュール用の複数の準備インターフェースを有する、印刷材のインライン仕上げ加工またはプレコートのための、ニスコーティングモジュールを場合によって備えている、または備えていないオフセット印刷機である。したがってこの構想は、複数の電気的もしくは制御技術的および機械的インターフェースに関するものである。
【００７５】
その際にフィルムアプリケーションモジュールはユニットとして（製造施設内の、または印刷機の）リフトを介して、または走行レールを介して使用位置に移動可能である。
【００７６】
そこで下記の構造の機械が可能である。
−  第１の印刷機構／展着機構内で接着剤が展着され、第２の印刷機構／コーティング機構内でフィルムアプリケーションが実行され、その後、印刷などが行われる。
−  この段階で第１の印刷またはニスコーティングモジュール内で吸収性の、または粗い、または有孔性の印刷材にプライマーが事前コーティングされるので、フィルムアプリケーションモジュールは印刷機構をさらに排紙装置の方へとシフトし、またはその代わりにフィルムの方向転換が印刷機構を元に戻す。これはインキング機構または印刷機構内のニスコーティング機構を介しても、またはスクリーンローラ／チャンバドクターブレードシステムによっても行うことができ、または白鉛展着が行われ、ほとんどの場合はコーティング後に中間乾燥機が使用される。
−  フィルムアプリケーションモジュールは最後の、すなわち排紙装置の近傍の印刷機構に設置されるので、事前印刷および場合によってはニスコーティングを行うことができ、そこで機械の終端ではじめてフィルムアプリケーションが行われる。
−  反転動作の枚葉印刷機が製造される場合は、フィルムアプリケーションモジュールは反転装置の後にシフトされる。すなわち片面が印刷され、反転され、その後、印刷の前または後でフィルムアプリケーションが行われる。先面印刷動作では、後ろでカラー印刷を行うために給紙装置の前にフィルムアプリケーションモジュールが設置されることができる。これと関連して、固定据付けされた、またはシフト可能に配置された２つ（もしくはそれ以上の）フィルムアプリケーションモジュールが機械上に設置されることもできよう。
【００７７】
その際に本発明による解決策の有利な特性は下記のとおりである。
−  １＋ｎ番目の機構内での接着剤展着の前に印刷機構またはニスコーティングモジュールを配置、すなわち常温フィルム型押し工程（オフセットまたはフレキソ印刷板を介した接着剤の展着、フィルムアプリケーション、場合によってはプレス機構）の前に展着機構が配置される。
−  例えば版胴の被覆材としての型押し型による前置されたニスコーティングモジュール内での印刷材の事前型押し加工もしくはパターン形成
−  オフセット印刷での印刷機構、ニスコーティング装置を有する印刷機構、場合によっては装置（給紙装置）内でのコロナ前処理、または接着剤展着前のニスコーティングモジュール
−  プライマーの展着または表面ニスコーティングのための、表面印刷
−  従来のＩＲ／ＴＬ（赤外線／タリウム）または紫外線、エキシマ中間乾燥機
−  その後の印刷、ニスコーティング、型押し加工、スタンピング、穿孔、縦裁断、インクジェットマーキング、シート検査、排紙
−  場合によっては機械構成によりフィルムアプリケーションモジュールを可変的にシート印刷機中で変位可能である。
−  多孔性、吸収性材料の処理
−  リサイクル印刷材の処理
−  印刷材、特にフィルムの部分的準備を含めた準備
−  インラインのコロナ前処理
−  利用範囲の拡張。
【００７８】
図示した構成は例として挙げたものである。上に詳細に示されたようなフィルム転写モジュールのモジュール化の枠内で、当業者は容易に別の利用可能性を見出すことができる。
【図面の簡単な説明】
【００７９】
【図１】フィルム転写装置を有する印刷機の基本図である。
【図２】印刷機のフィルム転写モジュールを統合するための構成図である。
【図３】印刷機のフィルム転写モジュールを統合するための構成図である。
【図４】印刷機のフィルム転写モジュールを統合するための構成図である。
【図５】印刷機のフィルム転写モジュールを統合するための構成図である。
【符号の説明】
【００８０】
１  展着機構
２  コーティングモジュール
３  プレスローラ
４  圧胴
５  転写フィルム／フィルム連続シート
６  転写スリット
７  回転駆動機構
８  フィルムロール
９  フィルム回収ロール
１０  プレス張り地
１１  インキング機構／湿し水機構
１２  版胴
１３  印刷用ブランケット胴／ゴム胴
１４  フィルムガイド装置
１５  印刷機構の保護装置
１６  乾燥機
１７  検査装置／監視システム
１８  補償ローラ
１９  胴溝
２０  版胴
Ｄ  印刷機構
Ｗ  反転装置
ＡＮ  給紙装置
ＡＵ  排紙装置
ＵＢ  基本構造
ＩＭ  統合フィルム転写モジュール
ＡＭ  アタッチメントモジュール
Ｌ  ニスコーティングモジュール
【図１】
2007176172.tif 000003
【図２】
2007176172.tif 000004
【図３】
2007176172.tif 000005
【図４】
2007176172.tif 000006
【図５】
2007176172.tif 000007